(57)【要約】【課題】トナー汚れによる接続不良を防止し、製造コストを減少し、中間転写ユニットが装置本体に不完全に装着されている状態でも装置本体側接続端子と中間転写ユニット側接続端子を確実に接続できる画像形成装置を提供する。【解決手段】装置本体２と、装置本体２内に装着され装置本体２に対して着脱可能なイメージングユニット９と、ヒンジ軸２０を介して回動し装置本体２に対して開閉する開閉部材１９と、を有する画像形成装置１において、イメージングユニット９の開閉部材１９側に、開閉部材１９に向かって設置されたイメージングユニット側接続端子２４と、開閉部材１９の裏側に設置され、開閉部材１９の開閉と共にヒンジ軸２０周りに回動し、イメージングユニット側接続端子２４と接続する装置本体側接続端子２３と、を備えた。【選択図】図３
2009075295.tif 000002
【特許請求の範囲】
【請求項１】
装置本体と、前記装置本体内に装着され前記装置本体に対して着脱可能なイメージングユニットと、ヒンジ軸を介して回動し前記装置本体に対して開閉する開閉部材と、を有する画像形成装置において、
前記イメージングユニットの前記開閉部材側に、前記開閉部材に向かって設置されたイメージングユニット側接続端子と、
前記開閉部材の裏側に設置され、前記開閉部材の開閉と共に前記ヒンジ軸周りに回動し、前記イメージングユニット側接続端子と接続する装置本体側接続端子と、
を備えたことを特徴とする画像形成装置。
【請求項２】
前記イメージングユニットの前記開閉部材側に、前記イメージングユニット側接続端子を保持し、前記イメージングユニットが前記装置本体に不完全に装着されている状態で前記開閉部材が前記装置本体に対して閉じていくときに前記装置本体側接続端子の外枠と当接する保持部材が配設されたことを特徴とする請求項１に記載の画像形成装置。
【請求項３】
前記イメージングユニットの前記開閉部材側に、前記イメージングユニットが前記装置本体に不完全に装着されている状態で前記開閉部材が前記装置本体に対して閉じていくときに前記装置本体側接続端子の外枠と当接する第１突起部が配設されたことを特徴とする請求項１に記載の画像形成装置。
【請求項４】
前記開閉部材は、該開閉部材が開放している状態で前記装置本体側接続端子を保護し、前記開閉部材が前記装置本体に対して閉じていくときに前記装置本体側接続端子の先端から離間する保護部材を有する保護シャッタを備えたことを特徴とする請求項１から３のいずれかに記載の画像形成装置。
【請求項５】
前記イメージングユニットの前記開閉部材側に、前記開閉部材が前記装置本体に対して閉じていくときに前記保護シャッタと摺接する第２突起部が配設されたことを特徴とする請求項４に記載の画像形成装置。
【請求項６】
前記装置本体側接続端子が、前記開閉部材の裏側に回動可能に固定された連結手段を介して設置されたことを特徴とする請求項１から５のいずれかに記載の画像形成装置。
【請求項７】
前記装置本体側接続端子と前記イメージングユニット側接続端子とが接続されたことを検出する接続検出手段と、前記開閉部材が前記装置本体に閉じられたことを検出する開閉検出手段を備え、
前記接続検出手段と前記開閉検出手段のいずれもがＯＮ状態で、前記装置本体及び前記イメージングユニットが動作を開始することを特徴とする請求項１から６のいずれかに記載の画像形成装置。
【発明の詳細な説明】
【技術分野】
【０００１】
本発明は複写機、レーザービームプリンタ、ＦＡＸやこれらの複合機等で、着脱可能なイメージングユニット、例えば中間転写ユニットを用いた画像形成装置に関する。
【背景技術】
【０００２】
一般に、画像形成装置においてＪＡＭ処理時やメンテナンス時にカバーを開閉し、装置本体から中間転写ユニットを着脱する必要がある。装置本体に中間転写ユニットを装着する際には、装置本体側接続端子と中間転写ユニット側接続端子との接続が不可欠である。
【０００３】
例えば特許文献１には、移動部材を介して装置本体側接続端子とプロセスカートリッジ側接続端子とを接続する画像形成装置が記載されている。特許文献２には、プロセスカートリッジが装置本体のユニット装着部に位置決めされて装着された状態でカバーを閉じることによって、プロセスカートリッジ側接続端子とカバー側接続端子とが確実に接触できる画像形成装置が記載されている。又、中間転写ユニットの下面に中間転写ユニット側接続端子を設置し、この中間転写ユニット側接続端子と対向するように上方に向かって装置本体側接続端子を設置した画像形成装置が提案されている。
【０００４】
しかし、特許文献１に記載の画像形成装置では、移動部材を介してプロセスカートリッジを移動させ、それにより装置本体側接続端子とプロセスカートリッジ側接続端子を接続させるため、構造が複雑となりコストが高くなるという問題があった。特許文献２に記載の画像形成装置では、プロセスカートリッジが装置本体に不完全に装着されている状態では接続端子どうしが接続できないという問題があった。又、中間転写ユニットの下面に中間転写ユニット側接続端子を設置すると、トナー汚れによる接続不良が発生するという問題があった。
【０００５】
【特許文献１】特開２００３−１７７６５０号公報
【特許文献２】特開２００２−７２８２６号公報
【発明の開示】
【発明が解決しようとする課題】
【０００６】
本発明は前記従来の問題点に鑑みてなされたもので、トナー汚れによる接続不良を防止し、製造コストを減少し、中間転写ユニットが装置本体に不完全に装着されている状態でも装置本体側接続端子と中間転写ユニット側接続端子を確実に接続できる画像形成装置を提供することを課題とする。
【課題を解決するための手段】
【０００７】
前記課題を解決するための手段として、本発明に係る画像形成装置は、装置本体と、前記装置本体内に装着され前記装置本体に対して着脱可能なイメージングユニットと、ヒンジ軸を介して回動し前記装置本体に対して開閉する開閉部材と、を有する画像形成装置において、前記イメージングユニットの前記開閉部材側に、前記開閉部材に向かって設置されたイメージングユニット側接続端子と、前記開閉部材の裏側に設置され、前記開閉部材の開閉と共に前記ヒンジ軸周りに回動し、前記イメージングユニット側接続端子と接続する装置本体側接続端子と、を備えたものである。
【０００８】
仮にイメージングユニットの下方にイメージングユニット側接続端子及び装置本体側接続端子を設置すると、トナー汚れによる接続不良が生じるため、イメージングユニットの開閉部材側にイメージングユニット側接続端子を設置し開閉部材の裏側に装置本体側接続端子を設置することで、トナー汚れによる両端子の接続不良を防止することができる。
【０００９】
又、装置本体側接続端子を開閉部材の裏側に設置することで、構造が簡素になり、製造コストを減少することができる。
【００１０】
具体的な１つの手段として、前記イメージングユニットの前記開閉部材側に、前記イメージングユニット側接続端子を保持し、前記イメージングユニットが前記装置本体に不完全に装着されている状態で前記開閉部材が前記装置本体に対して閉じていくときに前記装置本体側接続端子の外枠と当接する保持部材が配設されることが好ましい。
【００１１】
他の手段として、前記イメージングユニットの前記開閉部材側に、前記イメージングユニットが前記装置本体に不完全に装着されている状態で前記開閉部材が前記装置本体に対して閉じていくときに前記装置本体側接続端子の外枠と当接する第１突起部が配設されることが好ましい。
【００１２】
イメージングユニットが前記装置本体に不完全に装着されている状態で前記開閉部材が前記装置本体に対して閉じていくときに前記装置本体側接続端子の外枠が保持部材又は第１突起部と当接することで、装置本体側接続端子の外枠が第１突起部を介してイメージングユニットを下方に押圧し、イメージングユニットを装置本体に完全に装着することができる。この点で、イメージングユニットが前記装置本体に不完全に装着されている状態でも、イメージングユニットを装置本体に完全に装着し、イメージングユニット側接続端子と装置本体側接続端子とが確実に接続することができる。
【００１３】
前記開閉部材は、該開閉部材が開放している状態で前記装置本体側接続端子を保護し、前記開閉部材が前記装置本体に対して閉じていくときに前記装置本体側接続端子の先端から離間する保護部材を有する保護シャッタを備えることが好ましい。
【００１４】
開閉部材が開放している状態で装置本体側接続端子を保護することで、装置本体側接続端子に触れることによる静電的な要因での接続端子の基盤の破損を防止する。イメージングユニットが装置本体に完全に装着されている状態で開閉部材が前記装置本体に対して閉じていくときに、保護部材が前記装置本体側接続端子の先端から離間することで、イメージングユニット側接続端子と装置本体側接続端子との接続前に装置本体側接続端子の先端を開放し、両端子の接続を可能にする。イメージングユニットが装置本体に不完全に装着されている状態で開閉部材が前記装置本体に対して閉じていくときに、保護部材が前記装置本体側接続端子の先端から離間することで、装置本体側接続端子の外枠と第１突起部との当接前に装置本体側接続端子の先端を開放し、当接を可能にする。
【００１５】
前記イメージングユニットの前記開閉部材側に、前記開閉部材が前記装置本体に対して閉じていくときに前記保護シャッタと摺接する第２突起部が配設されることが好ましい。
【００１６】
開閉部材が装置本体に対して閉じていくときに保護シャッタと第２突起部とが摺接することで、イメージングユニット側接続端子と装置本体側接続端子との接続前に装置本体側接続端子の先端から保護部材を離間することができる。
【００１７】
又、前記装置本体側接続端子が、前記開閉部材の裏側に回動可能に固定された連結手段を介して設置されたことが好ましい。
【００１８】
装置本体側接続端子が回動可能に固定された連結手段を介して設置されることで、開閉部材が装置本体に対して閉じていくときに、装置本体側接続端子は第１突起部によりイメージングユニット側接続端子に案内され、接続できる。イメージングユニットが装置本体に不完全に装着されている状態でも両端子の接続後、開閉部材を閉じていくときに両端子を介してイメージングユニットを下方に押圧することで、イメージングユニットを装置本体に完全に装着することができる。
【００１９】
更に、前記装置本体側接続端子と前記イメージングユニット側接続端子とが接続されたことを検出する接続検出手段と、前記開閉部材が前記装置本体に閉じられたことを検出する開閉検出手段を備え、前記接続検出手段と前記開閉検出手段のいずれもがＯＮ状態で、前記装置本体及び前記イメージングユニットが動作を開始することが好ましい。
【００２０】
接続検出手段と開閉検出手段の一方、又は両方がＯＦＦ状態では、装置本体及びイメージングユニットは動作を開始しない。これにより例えばイメージングユニット側接続端子と装置本体側接続端子とが接続しても開閉部材が装置本体に完全に閉じていなければ、装置本体及びイメージングユニットは動作を開始せず、開閉部材が完全に閉じていない状態での誤作動を防止することができる。
【発明の効果】
【００２１】
本発明の画像形成装置によれば、イメージングユニットの開閉部材側にイメージングユニット側接続端子を設置し開閉部材の裏側に装置本体側接続端子を設置することで、トナー汚れによる両端子の接続不良を防止することができる。
【００２２】
又、装置本体側接続端子を開閉部材の裏側に直接設置することで、構造が簡素になり、製造コストを減少することができる。
【００２３】
イメージングユニットが前記装置本体に不完全に装着されている状態で前記開閉部材が前記装置本体に対して閉じていくときに前記装置本体側接続端子の外枠が保持部材又は第１突起部と当接することで、装置本体側接続端子の外枠がイメージングユニットを下方に押圧し、イメージングユニットを装置本体に完全に装着することができる。この点で、イメージングユニットが前記装置本体に不完全に装着されている状態でも、イメージングユニットを装置本体に完全に装着し、イメージングユニット側接続端子と装置本体側接続端子とが確実に接続することができる。
【００２４】
装置本体側接続端子が回動可能に固定された連結手段を介して設置されることで、開閉部材が装置本体に対して閉じていくときに、装置本体側接続端子は第１突起部によりイメージングユニット側接続端子に案内され、接続できる。イメージングユニットが装置本体に不完全に装着されている状態でも両端子の接続後、開閉部材を閉じていくときに両端子を介してイメージングユニットを下方に押圧することで、イメージングユニットを装置本体に完全に装着することができる。
【発明を実施するための最良の形態】
【００２５】
次に、添付図面を参照して本発明の実施形態を詳細に説明する。
【００２６】
図１に、本発明の１つの実施形態の画像形成装置１を示す。画像形成装置１は、装置本体２の内部に、それぞれ、シアン、マゼンタ、イエローおよびブラックのトナーを供給する現像器３を環状に保持する現像ロータリユニット４と、表面に静電潜像を形成できる回転可能な感光体５、感光体５を帯電させる帯電器６、１次転写ローラ７および１次転写ローラ７によって感光体５に形成した画像が転写される中間転写ベルト８を保持する中間転写ユニット（イメージングユニット）９と、感光体５を露光する露光ユニット１０と、２転写ローラ１１と、定着ユニット１２と、給紙ユニット１３とを備える。
【００２７】
中間転写ユニット９は、感光体５、帯電器６および１次転写ローラ７を保持する感光体フレーム１４と、中間転写ベルト８を張架した張架ローラ１５，１６およびテンションローラ１７を保持する中間転写フレーム１８とからなる。感光体５は、中間転写ベルト８の外側に位置し、１次転写ローラ７は、中間転写ベルト８の内側に当接し、中間転写ベルト８を介して感光体５と１次転写ローラ７とが対向するように保持されている。
【００２８】
又、図２に示すように中間転写ユニット９は、本体２の開閉部材１９をヒンジ軸２０周りに開放して画像形成装置１に着脱できるようになっており、装着状態で張架ローラ１６が中間転写ベルト８を介して２転写ローラ１１に圧接され、又感光体５が現像器３に近接するようになっている。現像ロータリユニット４の上部には、開閉部材１９が装置本体２に確実に閉じているかを検出する開閉検出スイッチ（開閉検出手段）２１が配置されている。
【００２９】
次に、図３を参照して本発明の装置本体側接続端子２３及び中間転写ユニット側接続端子（イメージングユニット側接続端子）２４について説明する。
【００３０】
開閉部材１９の裏側には、ヒンジ軸２０に沿って延びるフレーム２６が配設されている。フレーム２６の端部に、中間転写ユニット９に向かって延びる装置本体側接続端子２３を支持する箱状の支持部材２７が配設されている。装置本体側接続端子２３を開閉部材１９の裏側に設置することで、構造が簡素になり、製造コストを減少することができる。
【００３１】
支持部材２７の両側面には、装置本体側接続端子２３を保護する保護シャッタ２８が回動可能に配設されている。保護シャッタ２８は装置本体側接続端子２３の先端を覆う保護部材２９と、保護部材２９の両端と係合し回動軸３１周りに回動する一対の回動板３２とからなる。保護シャッタ２８はばね（図示せず）により、常に保護部材２９が装置本体側接続端子２３の下端を覆う位置に向かって、すなわち図４において回動軸３１を中心に時計回り方向に付勢されている。
【００３２】
又、中間転写ユニット９の上面３３には、端部に凸形状である第１突起部３４が配設されており、第１突起部３４よりも内側に第１突起部３４よりも小さな凸形状である第２突起部３５が配設されている。第１及び第２突起部３４、３５の下方には開閉部材１９に向かって延びる中間転写ユニット側接続端子２４を保持する保持部材３６が配設されている。
【００３３】
仮に中間転写ユニット９の下方に装置本体側接続端子２３及び中間転写ユニット側接続端子２４を設置すると、トナー汚れによる接続不良が生じる。開閉部材１９の裏側に装置本体側接続端子２３を設置し、中間転写ユニット９の開閉部材１９側に中間転写ユニット側接続端子２４を設置することでトナー汚れによる両端子２３、２４の接続不良を防止することができる。
【００３４】
次に図５を参照して中間転写ユニット９が装置本体２に完全に装着された状態での、装置本体側接続端子２３と中間転写ユニット側接続端子２４との接続動作について説明する。装置本体側接続端子２３は、開閉部材１９がヒンジ軸２０周りに回動し装置本体２に閉じていくときに、中間転写ユニット側接続端子２４に向かってヒンジ軸２０周りに回動し、開閉部材１９が閉まると中間転写ユニット側接続端子２４と接続する。
【００３５】
図６を参照して中間転写ユニット９が装置本体２に不完全に装着された状態での、装置本体側接続端子２３と中間転写ユニット側接続端子２４との接続動作について説明する。装置本体側接続端子２３は、開閉部材１９がヒンジ軸２０周りに回動し装置本体２に閉じていくときに、中間転写ユニット側接続端子２４に向かってヒンジ軸２０周りに回動し、まず第１突起部３４に当接する。これにより、装置本体側接続端子２３は第１突起部３４を介して中間転写ユニット９を下方に押圧し、中間転写ユニット９は装置本体２に完全に装着される。中間転写ユニット９が装置本体２に完全に装着されると開閉部材１９が装置本体２に閉まり、装置本体側接続端子２３と中間転写ユニット側接続端子２４とが接続する。従って、中間転写ユニット９が装置本体２に不完全に装着されている状態でも、中間転写ユニット９を装置本体２に完全に装着し、装置本体側接続端子２３と中間転写ユニット側接続端子２４とが確実に接続することができる。
【００３６】
図７を参照して中間転写ユニット９が装置本体２に完全に装着された状態での、保護シャッタ２８の動作を説明する。開閉部材１９が開放している状態では図４（ａ）に示すように、保護部材２９が装置本体側接続端子２３の下端を覆うことで装置本体側接続端子２３を保護している。開閉部材１９を閉じていくと開閉部材１９が水平方向から約２０°になったところで、保護シャッタ２８の回動板３２と第２突起部３５の上面との摺接が始まり、保護シャッタ２８は回動軸３１周りに回動し始める。続けて開閉部材１９を閉じていくと保護シャッタ２８は回動し続け、開閉部材１９が水平方向から約１０°になったところで、保護部材２９が装置本体側接続端子２３の下端から完全に離間する。この時、回動軸３１も開閉部材１９の回動に従って、ヒンジ軸２０周りに回動している。この状態で開閉部材１９が閉じると、図４（ｂ）に示すように保護シャッタ２８の保護部材２９が装置本体側接続端子２３の下端から離間しているため、装置本体側接続端子２３と中間転写ユニット側接続端子２４との接続が可能となる。ただし、開閉部材１９が開放した状態で保護シャッタ２８が装置本体側接続端子２３を保護し、開閉部材１９が閉まった状態で保護シャッタ２８が装置本体側接続端子２３から離間するという条件を満たす限り、保護シャッタ２８が回動を始め装置本体側接続端子２３の下端から完全に離間する角度は特に限定されない。
【００３７】
開閉部材１９が開放しているときに装置本体側接続端子２３を保護することで、装置本体側接続端子２３に触れることによる静電的な要因での装置本体側接続端子２３の基盤の破損を防止する。中間転写ユニット９が装置本体２に完全に装着されている状態で、開閉部材１９が装置本体２に対して閉じていくときに、装置本体側接続端子２３と中間転写ユニット側接続端子２４との接続前に保護部材２９が装置本体側接続端子２３の下端から完全に離間することで、両端子２３、２４の接続を可能にする。
【００３８】
図８を参照して中間転写ユニット９が装置本体２に不完全に装着された状態での、保護シャッタ２８の動作を説明する。開閉部材１９を開放している状態から閉じていくと保護シャッタ２８の回動板３２と第２突起部３５の上面との摺接が始まり、保護シャッタ２８は回動軸３１周りに回動し始める。続けて開閉部材１９を閉じていくと保護シャッタ２８は回動し続け、保護シャッタ２８は装置本体側接続端子２３の下端から完全に離間し、装置本体側接続端子２３の外枠が第１突起部３４と当接する。
【００３９】
中間転写ユニット９が装置本体２に不完全に装着されている状態で開閉部材１９が装置本体２に対して閉じていくときに、装置本体側接続端子２３の外枠が第１突起部３４と当接する前に、保護シャッタ２８が装置本体側接続端子２３の下端から完全に離間することで、装置本体側接続端子２３の外枠と第１突起部３４との当接を可能にする。
【００４０】
前記実施形態では、装置本体側接続端子２３が支持部材２７を介して開閉部材１９に設置されているが、支持部材２７の代わりに、図９に示すように、回動軸３８周りに回動可能な接続端子ホルダ（連結手段）３７を介して装置本体側接続端子２３を開閉部材１９に設置してもよい。
【００４１】
この場合には、中間転写ユニット９が装置本体２に不完全に装着された状態で開閉部材１９を装置本体２に閉じていくと、装置本体側接続端子２３はヒンジ軸２０周りに下方に移動する。まず、装置本体側接続端子２３は第１突起部３４に当接して回動軸３８周りに回動し（図９）、第１突起部３４により中間転写ユニット側接続端子２４に案内され接続される（図１０）。続けて開閉部材１９を閉じていくと、接続された装置本体側接続端子２３と中間転写ユニット側接続端子２４を介して中間転写ユニット９が下方に押圧され、装置本体２に完全に装着される。従って、中間転写ユニット９が装置本体２に不完全に装着されている状態でも両端子２３、２４を接続し、中間転写ユニット９を装置本体２に完全に装着することができる。
【００４２】
次に、開閉検出スイッチ２１について説明する。開閉部材１９が装置本体２に完全に閉じると装置本体２に設けた開閉検出スイッチ２１がＯＮになり、開閉部材１９が装置本体２に完全に閉じられたか否かを検出する。
【００４３】
又、接続検出手段（図示せず）は、装置本体側接続端子２３と中間転写ユニット側接続端子２４とに電気的に接続されており、装置本体側接続端子２３と中間転写ユニット側接続端子２４とが接続されると電流が流れ、この電流を検知することで接続検出手段がＯＮになり装置本体側接続端子２３と中間転写ユニット側接続端子２４とが接続されたことを検出する。
【００４４】
開閉検出スイッチ２１と接続検出手段のいずれもがＯＮ状態でのみ、装置本体２及び中間転写ユニット９が動作を開始する。従って、開閉検出スイッチ２１と接続検出手段の一方、又は両方がＯＦＦ状態では、装置本体２及び中間転写ユニット９は動作を開始しない。これにより、例えば装置本体側接続端子２３と中間転写ユニット側接続端子２４とが接続しても開閉部材１９が装置本体２に完全に閉じていなければ、装置本体２及び中間転写ユニット９は動作を開始せず、開閉部材１９が完全に閉じていない状態での装置本体２及び中間転写ユニット９の誤作動を防止することができる。
【図面の簡単な説明】
【００４５】
【図１】本発明に係る画像形成装置の概略図。
【図２】中間転写ユニットを装置本体から取り外す状態を示す側面図。
【図３】本発明に係る装置本体側接続端子と中間転写ユニット側接続端子との拡大斜視図。
【図４】（ａ）本発明に係る保護シャッタが装置本体側接続端子を保護している状態を示す側面図（ｂ）本発明に係る保護シャッタが装置本体側接続端子から離間している状態を示す側面図。
【図５】中間転写ユニットが装置本体に完全に装着されている状態で、本発明に係る装置本体側接続端子と中間転写ユニット側接続端子とが接続する動作を示す側面図。
【図６】中間転写ユニットが装置本体に不完全に装着されている状態で、本発明に係る装置本体側接続端子と第１突起部とが当接する動作を示す側面図。
【図７】中間転写ユニットが装置本体に完全に装着されている状態で、開閉部材が閉じるときの本発明に係る保護シャッタの動作を示す側面図。
【図８】中間転写ユニットが装置本体に不完全に装着されている状態で、開閉部材が閉じるときの本発明に係る保護シャッタの動作を示す側面図。
【図９】中間転写ユニットが装置本体に不完全に装着されている状態で、本発明に係る接続端子ホルダを備えた装置本体側接続端子が第１突起部と当接している状態を示す側面図。
【図１０】中間転写ユニットが装置本体に不完全に装着されている状態で、本発明に係る接続端子ホルダを備えた装置本体側接続端子と中間転写ユニット側接続端子とが接続している状態を示す側面図。
【符号の説明】
【００４６】
１  画像形成装置
２  装置本体
９  中間転写ユニット（イメージングユニット）
１９  開閉部材
２０  ヒンジ軸
２１  開閉検出スイッチ（開閉検出手段）
２３  装置本体側接続端子
２４  中間転写ユニット側接続端子（イメージングユニット側接続端子）
２８  保護シャッタ
２９  保護部材
３４  第１突起部
３５  第２突起部
３６  保持部材
３７  接続端子ホルダ（連結手段）
【図１】
2009075295.tif 000003
【図２】
2009075295.tif 000004
【図３】
2009075295.tif 000005
【図４】
2009075295.tif 000006
【図５】
2009075295.tif 000007
【図６】
2009075295.tif 000008
【図７】
2009075295.tif 000009
【図８】
2009075295.tif 000010
【図９】
2009075295.tif 000011
【図１０】
2009075295.tif 000012